(57)【要約】【課題】補助部材に複数の機能をもたせることにより、外径方向の小型化はもとより、光軸方向の薄型化を図ることができる羽根駆動装置を提供する。【解決手段】開口部１ａを有するシャッタ地板１と開口部２ａを有するカバー板２の夫々の開口部を重ねるようにして羽根室を構成する。前記羽根室内には、小絞り径を規制する開口部５ａを有する絞り羽根５と、シャッタ羽根７，８，９と、絞り羽根５とシャッタ羽根７，８，９との間に配置され開口部５ａよりも口径が大きく開口部１ａ，２ａと重なる位置に配置される開口部６ａを有する絞り補助羽根６と、が配置されている。羽根駆動アクチュエータ４は、絞り羽根５の開口部５ａを開口部６ａに進入させたときに、絞り補助羽根６によって絞り羽根５と開口部１ａ，２ａの縁との間に形成される隙間を覆うように絞り補助羽根６を作動させる。【選択図】図１５
2011197082.tif 000002
【特許請求の範囲】
【請求項１】
夫々の開口部を重ねるようにして両者間に羽根室を構成する二つの地板と、
前記羽根室内に作動可能に配置され小絞り口径を規制する絞り開口を有する絞り羽根と、
前記羽根室内に配置されたシャッタ羽根と、
前記羽根室内において前記絞り羽根と前記シャッタ羽根との間に配置され、前記絞り開口よりも口径が大きく前記開口部と重なる位置に配置される露出開口を有する補助部材と、
前記絞り開口を前記露出開口に対して進退するように前記絞り羽根を駆動する絞り羽根駆動手段と、
前記シャッタ羽根が前記露出開口を開閉作動するように、前記シャッタ羽根を駆動するシャッタ羽根駆動手段と、
を備え、
前記補助部材は、前記絞り羽根駆動手段による前記絞り羽根の駆動に応じて作動可能に設けられており、
前記絞り羽根駆動手段は、前記絞り羽根の絞り開口を前記露出開口に進入させたときに、前記補助部材によって前記絞り羽根と前記開口部の縁との間に形成される隙間を覆うように前記補助部材を作動させることを特徴とする羽根駆動装置。
【請求項２】
前記絞り羽根駆動手段は前記羽根室の外側の前記地板の一方に取り付けられ、また、前記シャッタ羽根駆動手段は前記羽根室の外側の前記地板の他方に取り付けられており、
前記絞り羽根駆動手段と前記シャッタ羽根駆動手段とは、光軸と直交する方向において少なくともその一部が重なる位置に配置されていることを特徴とする請求項１に記載の羽根駆動装置。
【請求項３】
前記羽根室は、外側に取り付けられた前記絞り羽根駆動手段および前記シャッタ羽根駆動手段とともに、弾性を備えた非磁性金属材で形成されたコの字形状のクリップで固定されることを特徴とする請求項２に記載の羽根駆動装置。
【請求項４】
前記羽根室の内側には、前記地板の基底面に対して突起した摺動面が形成されており、
前記絞り羽根、前記補助部材、前記シャッタ羽根の一部の面が前記摺動面に当接しながら摺動することにより、当該部材のスラスト方向が規制されることを特徴とする請求項１〜３のいずれか一つに記載の羽根駆動装置。
【発明の詳細な説明】
【技術分野】
【０００１】
この発明は、デジタルカメラ、特に小型携帯機器に内蔵されるデジタルカメラに最適な小型の羽根駆動装置に関する。
【背景技術】
【０００２】
従来のレンズシャッタの絞り機構は、露光用開口部よりも小さな開口、即ち小絞り径で撮影する時には、その小絞り部材が小絞り開口径を除き、露光用開口部を完全に塞ぐようにしているため、その小絞り部材は少なくとも露光用開口部より大きな外形となる。このため、小絞り径で撮影しない場合には、小絞り部材を露光用開口部から退避させ、露光用開口部の側方から外形端縁の間に収容しておく必要があるので、その収容面積は、小絞り径が形成された小絞り部材の大きさによって制約を受け、どうしても径方向の寸法を小さくすることができない。
【０００３】
また薄型化の要求として、レンズ長を短縮するために撮影レンズ群中のレンズシャッタユニットにおいて、シャッタより被写体側の前群レンズ端と絞り部材との距離、およびシャッタより像面側の後群レンズ端とシャッタ部材との距離を近づけるように配置される。このため、前群レンズ端と絞り羽根との間隔、後群レンズ端とシャッタ羽根の間隔が狭くなるので、前群レンズ側に対向するカバー板と、後群レンズ側に対向するシャッタ地板の露光開口部径を大きくし、レンズ端部を逃げるようにして、露光開口部周りの厚さを薄くする手法がとられている。そして光学開口径が、絞り部材とシャッタ部材とを分ける仕切り板に設けられている。
【０００４】
近年、デジタルカメラの一層の小型化が求められ、デジタルカメラに搭載されるレンズシャッタも必然的に小型化、薄型化が強く要求されている。特に、携帯電話機に搭載されるデジタルカメラに至っては、さらなる小型化、薄型化の要求が強く、レンズの光軸方向の投影面積をできるだけ小さくすることが求められている。このため従来のレンズシャッタのような光軸中心の円形状ではなく、光軸非対称の異形状のレンズシャッタとならざるを得ない状況にある。
【０００５】
図２６は、携帯機器に内蔵される従来の一般的な羽根駆動装置の構造を説明するための図である。図２７は、携帯機器に内蔵される従来の一般的な羽根駆動装置の構造を示す部分断面図である。この羽根駆動装置は、シャッタ地板１とカバー板２との間に、シャッタ機能を実現するシャッタ羽根７，８，９と、光量制御機能を実現する絞り羽根５、絞り補助羽根６を備えている。シャッタ羽根７，８，９と絞り羽根５、絞り補助羽根６は、仕切り板１３により仕切られている。すなわち、従来の羽根駆動装置は、二つの地板の間に羽根室を形成して、その羽根室内にシャッタ羽根と絞り羽根を配置するとともに、絞り羽根とシャッタ羽根との間に仕切板を配置して、互いの羽根の作動時に互いの羽根が干渉しないように構成しているものが一般的である（たとえば、特許文献１，２を参照。）。
【０００６】
ところで、昨今、携帯機器のさらなる小型化が要求されている。このため、携帯機器に内蔵されるデジタルカメラにおいても、光軸方向の投影面積（地板外径）の小径化や薄型化といった小型化の要求がより強くなり、羽根駆動装置も同様に小型化の必要性がより増大してきた。そこで、各羽根の大きさ（作動方向の幅）を小さくして、開口部から退避したときの羽根の収容面積が小さくなるようにして絞り径方向の小型化を図るとともに、絞り羽根とシャッタ羽根との間に配置されている仕切り板を排除することで光軸方向の薄型化を促進した技術がある（たとえば、特許文献３，４を参照。）。
【０００７】
また、従来の羽根駆動装置における羽根駆動アクチュエータを固定する手法は、ボビンにヨークを組み付けた後に、さらに別個に形成された押さえ板を用いて全体をネジで固定するため、組み付け作業が煩雑であり、部品点数も多いため、部品管理コスト増、製造コスト増といった問題があった。そこで、かかる問題を解決するため、組み付けのための部品点数を削減したり、組み付け作業の簡易化を図ったりして、部品管理コストや、製造コストなどを削減した技術も提案されている（たとえば、特許文献５〜８を参照）。
【先行技術文献】
【特許文献】
【０００８】
【特許文献１】特許第３９５４３４９号公報
【特許文献２】実用新案登録第２５２１２３８号公報
【特許文献３】特開２００２−１４３８７号公報
【特許文献４】特開２００２−１３９７６５号公報
【特許文献５】特許第４１６３９０４号公報
【特許文献６】特開２００９−５３４３３号公報
【特許文献７】特開２００６−３３９１４号公報
【特許文献８】特開２００８−１３９４０５号公報
【発明の概要】
【発明が解決しようとする課題】
【０００９】
上記特許文献３，４に記載の技術では、光軸方向の薄型化を阻む大きな要因となっていた仕切り板を排除することには成功している。しかし、露出開口径内に小絞り径を有する絞り羽根を進入させたときに、絞り羽根と露出開口の縁との間に隙間が形成されてしまうという問題を、当該隙間を覆うことだけを目的とした新たな部材を追加することにより回避したため、新たな部材を追加した分だけ光軸方向の厚みが増すという問題が発生する。
【００１０】
また、上記特許文献５〜８に記載の技術では、いくつかの部品を一体化することで部品点数の削減を図ったり、熱溶解や接着によりボビン、ヨークなどを羽根駆動装置に固定したりすることで組み付け作業の簡易化を図ったりして、部品管理コストや、製造コストなどを削減している。しかしながら、かかる従来技術は、携帯電話などに搭載されるデジタルカメラに用いられる、極めて小型の羽根駆動装置には、固定用のネジを入れるスペースや大きさがないなどの理由により不向きである。また、熱溶解や接着による取り付けは、装置の厚みを薄くしたり、落下衝撃などの耐久力を備えたりするには好都合であるが、修理などで装置を分解、再組することができなくなるという不都合がある。
【００１１】
この発明は、上述した従来技術による問題点を解消するため、補助部材に複数の機能をもたせることにより、外径方向の小型化はもとより、光軸方向の薄型化を図ることができる羽根駆動装置を提供することを目的とする。また、組み付けのための部品点数を削減し、組み立て、分解が容易で、落下などの衝撃に強い耐久性を備えた羽根駆動装置を提供することを目的とする。
【課題を解決するための手段】
【００１２】
上述した課題を解決し、目的を達成するため、この発明にかかる羽根駆動装置は、夫々の開口部を重ねるようにして両者間に羽根室を構成する二つの地板と、前記羽根室内に作動可能に配置され小絞り口径を規制する絞り開口を有する絞り羽根と、前記羽根室内に配置されたシャッタ羽根と、前記羽根室内において前記絞り羽根と前記シャッタ羽根との間に配置され、前記絞り開口よりも口径が大きく前記開口部と重なる位置に配置される露出開口を有する補助部材と、前記絞り開口を前記露出開口に対して進退するように前記絞り羽根を駆動する絞り羽根駆動手段と、前記シャッタ羽根が前記露出開口を開閉作動するように、前記シャッタ羽根を駆動するシャッタ羽根駆動手段と、を備え、前記補助部材は、前記絞り羽根駆動手段による前記絞り羽根の駆動に応じて作動可能に設けられており、前記絞り羽根駆動手段は、前記絞り羽根の絞り開口を前記露出開口に進入させたときに、前記補助部材によって前記絞り羽根と前記開口部の縁との間に形成される隙間を覆うように前記補助部材を作動させることを特徴とする。
【００１３】
また、この発明にかかる羽根駆動装置は、前記絞り羽根駆動手段が前記羽根室の外側の前記地板の一方に取り付けられ、また、前記シャッタ羽根駆動手段が前記羽根室の外側の前記地板の他方に取り付けられており、前記絞り羽根駆動手段と前記シャッタ羽根駆動手段とは、光軸と直交する方向において少なくともその一部が重なる位置に配置されていることを特徴とする。
【００１４】
また、この発明にかかる羽根駆動装置は、前記羽根室が、外側に取り付けられた前記絞り羽根駆動手段および前記シャッタ羽根駆動手段とともに、弾性を備えた非磁性金属材で形成されたコの字形状のクリップで固定されることを特徴とする。
【００１５】
さらに、この発明にかかる羽根駆動装置は、前記羽根室の内側に、前記地板の基底面に対して突起した摺動面が形成されており、前記絞り羽根、前記補助部材、前記シャッタ羽根の一部の面が前記摺動面に当接しながら摺動することにより、当該部材のスラスト方向が規制されることを特徴とする。
【発明の効果】
【００１６】
この発明にかかる羽根駆動装置によれば、補助部材を、羽根室内に配置される絞り羽根とシャッタ羽根の収納領域を仕切る仕切板としての機能を持たせるとともに、露出開口径内に絞り羽根を進入させたときに形成される絞り羽根と露出開口の縁との隙間を覆うように作動させるように構成したので、光軸方向の投影面積（地板の外径）を小さくすることができるとともに光軸方向の薄型化を実現できるという効果を奏する。また、前記羽根室を固定するために弾性を有するクリップを用いているため、組み付けのための部品点数が削減でき、組み立て、分解が容易で、落下などの衝撃に強い耐久性を備えることができるという効果を奏する。さらに、前記羽根室の内側に、各羽根の摺動面を形成し、前記各羽根を前記摺動面に当接させて摺動することにより、カメラの姿勢差によるシャッタ羽根の作動時間のバラつきをなくすことができ、露出ムラを防止することができるという効果を奏する。
【図面の簡単な説明】
【００１７】
【図１】実施の形態１にかかる羽根駆動装置の羽根室の構成を説明するための被写体側から見た正面図である。
【図２】実施の形態１にかかる羽根駆動装置の羽根室の構成を説明するための被写体側から見た正面図である。
【図３】実施の形態１にかかる羽根駆動装置の羽根室の構成を説明するための被写体側から見た正面図である。
【図４】図３のＡ−Ａ線に沿う部分断面図である。
【図５】実施の形態１にかかる羽根駆動装置の組み立て工程を説明するための図である。
【図６】実施の形態１にかかる羽根駆動装置の組み立て工程を説明するための図である。
【図７】カバー板に羽根駆動アクチュエータを取り付けた状態を示す被写体側から見た正面図である。
【図８】シャッタ地板に羽根駆動アクチュエータを取り付けた状態を示す像側から見た正面図である。
【図９】実施の形態１にかかる羽根駆動装置を固定するためのクリップの機能を説明するための図である。
【図１０】実施の形態１にかかる羽根駆動装置をクリップで固定した状態を示す被写体側から見た正面図である。
【図１１】実施の形態１にかかる羽根駆動装置をクリップで固定した状態を示す像側から見た正面図である。
【図１２】実施の形態１にかかる羽根駆動装置へのシャッタ駆動フレキシブル基板の装着を説明するための図である。
【図１３】実施の形態１にかかる羽根駆動装置にシャッタ駆動フレキシブル基板が装着された状態を示す被写体側から見た正面図である。
【図１４】実施の形態１にかかる羽根駆動装置にシャッタ駆動フレキシブル基板が装着された状態を示す像側から見た正面図である。
【図１５】実施の形態１にかかる羽根駆動装置の作動を説明するための図である。
【図１６】実施の形態１にかかる羽根駆動装置の作動を説明するための図である。
【図１７】実施の形態１にかかる羽根駆動装置の作動を説明するための図である。
【図１８】実施の形態２にかかる羽根駆動装置の羽根室を構成するシャッタ地板の内側面（被写体側面）を示す図である。
【図１９】実施の形態２にかかる羽根駆動装置の羽根室の構成を示す被写体側から見た斜視図である。
【図２０】実施の形態２にかかる羽根駆動装置の羽根室を構成するカバー板の内側面（像側面）を示す図である。
【図２１】実施の形態２にかかる羽根駆動装置の羽根室の構成を示す像側から見た斜視図である。
【図２２】実施の形態２にかかる羽根駆動装置の作動を説明するための図である。
【図２３】実施の形態２にかかる羽根駆動装置の作動を説明するための図である。
【図２４】実施の形態２にかかる羽根駆動装置の作動を説明するための図である。
【図２５】実施の形態２にかかる羽根駆動装置の作動を説明するための図である。
【図２６】携帯機器に内蔵される従来の一般的な羽根駆動装置の構造を説明するための図である。
【図２７】携帯機器に内蔵される従来の一般的な羽根駆動装置の構造を示す部分断面図である。
【発明を実施するための形態】
【００１８】
以下、添付図面を参照して、この発明にかかる羽根駆動装置の好適な実施の形態を詳細に説明する。以下の各実施の形態は、絞り機構とシャッタ機構とをユニット化したものであって、携帯電話機などの小型携帯機器に内蔵されるデジタルカメラに用いる。
【００１９】
（実施の形態１）
図１〜図３は、実施の形態１にかかる羽根駆動装置の羽根室の構成を説明するための被写体側から見た正面図である。
【００２０】
図１に示すように、シャッタ地板（第１の地板）１の中央部よりやや下方に、レンズ（不図示）が配置されるべき円形の開口部１ａが形成されている。また、シャッタ地板１の下部中央、上部の左右端部に、それぞれフック部１ｂ，１ｃ，１ｄが設けられている。フック部１ｂ，１ｃ，１ｄは、後述するカバー板（第２の地板）２をシャッタ地板１に固定するために用いる。また、シャッタ地板１の上方部には、後述する羽根駆動ピン３ａ，４ａが挿入される長孔１ｅ，１ｍが形成されている。
【００２１】
シャッタ地板１の周辺部には、ストッパ１ｆ，１ｇ，１ｈが設けられている。ストッパ１ｆ，１ｇ，１ｈは、後述する各羽根のストッパとなるとともに、カバー板２をシャッタ地板１に取り付けた際に、カバー板２とシャッタ地板１との間隔を形成するためのスペーサとしての機能も有する。シャッタ地板１の上部には、後述する各羽根を軸着するための羽根軸１ｉ，１ｊ，１ｋ，１ｌが設けられている。なお、羽根軸１ｉ，１ｊ，１ｋ，１ｌは、各羽根が駆動しても、当該羽根同士が光軸方向の投影面上では干渉しないような位置で、可能な限り互いに近接する位置に配置される。
【００２２】
まず、シャッタ地板１の羽根軸１ｌにシャッタ羽根９の孔９ａが軸着される。これにより、シャッタ羽根９は、羽根軸１ｌを中心として回動可能になる。さらに、その上から、シャッタ地板１の羽根軸１ｋにシャッタ羽根８の孔８ａが軸着される。これにより、シャッタ羽根８は、羽根軸１ｋを中心として回動可能になる。さらに、その上から、シャッタ地板１の羽根軸１ｊにシャッタ羽根７の孔７ａが軸着される。これにより、シャッタ羽根７は、羽根軸１ｊを中心として回動可能になる。そして、シャッタ羽根７，８，９は重なった状態でそれぞれの長孔７ｂ，８ｂ，９ｂにシャッタ地板１の長孔１ｍを貫通した羽根駆動アクチュエータ４の羽根駆動ピン４ａが挿入される。羽根駆動アクチュエータ４の羽根駆動ピン４ａが駆動することで、シャッタ羽根７，８，９が互いに摺動する。
【００２３】
次に、図２に示すように、シャッタ羽根７の上から、シャッタ地板１の羽根軸１ｊに絞り補助羽根６の孔６ｂが軸着される。これにより、絞り補助羽根６は、羽根軸１ｊを中心として回動可能になる。その上から、シャッタ地板１の羽根軸１ｉに絞り羽根５の孔５ｂが軸着される。これにより、絞り羽根５は、羽根軸１ｉを中心として回動可能になる。
【００２４】
そして、絞り羽根５と絞り補助羽根６は重なった状態でそれぞれの長孔５ｃ，６ｃに後述するカバー板２の長孔（不図示）を貫通した羽根駆動アクチュエータ３の羽根駆動ピン３ａが挿入される。羽根駆動アクチュエータ３の羽根駆動ピン３ａが駆動することで、絞り羽根５と絞り補助羽根６は互いに摺動する。なお、絞り補助羽根６には、シャッタ地板１の開口部１ａより若干小さい口径の開口部６ａが形成されている。この開口部６ａが光学開口径となる。また、絞り羽根５には、開口部６ａより小さい口径の開口部５ａが形成されている。この開口部５ａが小絞り開口となる。
【００２５】
続いて、図３に示すように、図２に示した状態の上から、カバー板２が取り付けられる。カバー板２の中央部よりやや下方に、絞り補助羽根６の開口部６ａより若干大きく、シャッタ地板１の開口部１ａと同等の大きさの開口部２ａが形成されている。この開口部２ａは、カバー板２をシャッタ地板１に取り付けた際に、シャッタ地板１の開口部１ａと正確に重なり合う位置にある。また、開口部２ａの周辺部にはシャッタ突き当て基準部２ｄが形成されている。さらに、カバー板２の上部両端部には、取り付け爪部２ｂ，２ｃが形成されている。
【００２６】
また、カバー板２の裏面には、ストッパ２ｅが形成されている。このストッパ２ｅは、前記各羽根のストッパとなるとともに、カバー板２をシャッタ地板１に取り付けた際に、カバー板２とシャッタ地板１との間隔を形成するためのスペーサとしての機能も有する。また、カバー板２の上方部には、外側にコイル１０を巻回したボビン１１を収容する収容部２ｆが形成されている。
【００２７】
図４は、図３のＡ−Ａ線に沿う部分断面図である。図４に示すように、実施の形態１にかかる羽根駆動装置では、シャッタ羽根７，８，９（シャッタ部材）の作動領域（シャッタ羽根室）と絞り羽根５（絞り部材）の作動領域（絞り羽根室）とを分ける仕切り板を設けていない。したがって、従来の羽根駆動装置（図２７参照）と比較し、格段に光軸方向の薄型化が促進されていることがわかる。
【００２８】
次に、実施の形態１にかかる羽根駆動装置の組み立て方法を説明する。図５および図６は、実施の形態１にかかる羽根駆動装置の組み立て工程を説明するための図である。なお、図５は実施の形態１にかかる羽根駆動装置を被写体側から見た斜視図、図６は同装置を像側から見た斜視図である。また、図７は、カバー板に羽根駆動アクチュエータを取り付けた状態を示す被写体側から見た正面図である。また、図８は、シャッタ地板に羽根駆動アクチュエータを取り付けた状態を示す像側から見た正面図である。
【００２９】
まず、シャッタ羽根７，８，９と、絞り羽根５、絞り補助羽根６を、シャッタ地板１上にある各羽根軸に軸着させた状態で、シャッタ地板１に組み込む。すなわち、シャッタ地板１の羽根軸１ｌにシャッタ羽根９の孔９ａを軸着する。さらに、その上から、シャッタ地板１の羽根軸１ｋにシャッタ羽根８の孔８ａを軸着する。さらに、その上から、シャッタ地板１の羽根軸１ｊにシャッタ羽根７の孔７ａを軸着する。
【００３０】
さらに、その上から、シャッタ地板１の羽根軸１ｊに絞り補助羽根６の孔６ｂを軸着する。さらに、その上から、シャッタ地板１の羽根軸１ｉに絞り羽根５の孔５ｂを軸着する。この状態からシャッタ地板１のフック部１ｂ，１ｃ，１ｄと、カバー板２のストッパ２ｅ、取付け爪部２ｆ，２ｂ，２ｃの位置を合わせて、シャッタ地板１とカバー板２とを噛み合わせ結合する。
【００３１】
次に、その状態から、シャッタ羽根７，８，９の長孔部７ｂ，８ｂ，９ｂに、シャッタ地板１の長孔１ｍを介して羽根駆動アクチュエータ４のマグネットローラ４ｂに連結された羽根駆動ピン部４ａを貫通させる。そして、マグネットローラ４ｂをシャッタ地板１上のマグネットローラ回転軸１ｎに嵌合させる。
【００３２】
ここで、シャッタ羽根７，８，９を作動させるための羽根駆動アクチュエータ４の構成について説明する。図８に示すように、羽根駆動アクチュエータ４は、ムービングマグネット型モータであって、この固定子は、略Ｕ字形で二つの端部を磁極部とするヨーク１２と、筒状部の外側にコイル１０を巻いたボビン１１とからなっている。ボビン１１は両端にコイル巻き端子部１１ａ，１１ｂを有しており、また、シャッタ地板１に形成されたボビン１１を収容する収容部１ｏにボビン１１を固定するために設けられた張り出し部１１ｃ，１１ｄを有している。ヨーク１２は、シャッタ地板１に形成されたヨーク位置決めピン１ｐ，１ｑの間に収容される。
【００３３】
一方、図７に示すように、絞り羽根５、絞り補助羽根６の長孔５ｃ，６ｃに、カバー板２の長孔（不図示）を介して羽根駆動アクチュエータ３のマグネットローラ３ｂに連結された羽根駆動ピン部３ａを貫通させる。そして、マグネットローラ３ｂをカバー板２上のマグネットローラ回転軸２ｇに嵌合させる。なお、羽根駆動アクチュエータ３の構成は、羽根駆動アクチュエータ４と同様である。ヨーク１２はカバー板２に形成されたヨーク位置決めピン２ｈ，２ｉの間に収容される。
【００３４】
以上のように、シャッタ羽根を駆動する羽根駆動アクチュエータ４（シャッタ羽根駆動部）と絞り羽根を駆動する羽根駆動アクチュエータ３（絞り羽根駆動部）とを、光軸と直交する方向において少なくともその一部が重なる位置に配置することで、光軸方向の投影面積（地板外径方向）を小さくすることができる。
【００３５】
次に、実施の形態１にかかる羽根駆動装置全体を固定するためのクリップについて説明する。図９は、実施の形態１にかかる羽根駆動装置を固定するためのクリップの機能を説明するための図である。同図（ａ）は当該羽根駆動装置を被写体側から見た斜視図、同図（ｂ）は当該羽根駆動装置を像側から見た斜視図である。また、図１０は、羽根駆動装置をクリップで固定した状態を示す被写体側から見た正面図である。図１１は、羽根駆動装置をクリップで固定した状態を示す像側から見た正面図である。
【００３６】
クリップ１４は、弾性（バネ性）を備えた非磁性金属材で、シャッタ地板１とカバー板２とが結合されて構成された羽根室に、羽根駆動アクチュエータ３，４が取り付けられた状態で挟み込めるようなコの字型に形成されている。また、クリップ１４には、前記羽根室を固定するための嵌合孔１４ａ，１４ｂ，１４ｃ，１４ｄ，１４ｅ，１４ｆが形成されている。
【００３７】
そして、図１０に示すように、カバー板２のマグネットローラ回転軸２ｇ、ヨーク位置決めピン２ｈ，２ｉをそれぞれクリップ１４に形成された嵌合孔１４ａ，１４ｂ，１４ｃに嵌合する。また、図１１に示すように、シャッタ地板１のマグネットローラ回転軸１ｎ、ヨーク位置決めピン１ｐ，１ｑをそれぞれクリップ１４に形成された嵌合孔１４ｄ，１４ｅ，１４ｆに嵌合する。このとき、クリップ１４はボビンの張り出し部１１ｃ，１１ｄを挟み込んでシャッタ地板１、カバー板２へ固定する。この状態で、ボビン１１のコイル巻き端子部１１ａ，１１ｂがクリップ１４の両面から突出するようになる。
【００３８】
次に、実施の形態１にかかる羽根駆動装置へのシャッタ駆動フレキシブル基板の装着について説明する。図１２は、実施の形態１にかかる羽根駆動装置へのシャッタ駆動フレキシブル基板の装着を説明するための図である。同図（ａ）は当該羽根駆動装置を被写体側から見た斜視図、同図（ｂ）は当該羽根駆動装置を像側から見た斜視図である。また、図１３は、羽根駆動装置にシャッタ駆動フレキシブル基板が装着された状態を示す被写体側から見た正面図である。図１４は、羽根駆動装置にシャッタ駆動フレキシブル基板が装着された状態を示す像側から見た正面図である。
【００３９】
図１２〜図１４に示すように、シャッタ駆動フレキシブル基板１５の装着は、クリップ１４の両面から突出している、ボビン１１のコイル巻き端子凸部１１ａ，１１ｂに、シャッタ駆動フレキシブル基板１５に形成された回路端子孔１５ａ，１５ｂ，１５ｃ，１５ｄを嵌合させた状態で、コイル巻き端子部１１ａ，１１ｂを半田付けする。
【００４０】
以上説明したように、実施の形態１にかかる羽根駆動装置では、各フック部と各取り付け爪を嵌合させることでシャッタ地板１とカバー板２を結合することができる。このように、ネジ、リベットなどを用いずに羽根室の組み立てができるので、作業が容易で、必要な部品点数を削減することができる。また、羽根室の分解も容易にできる。さらに、羽根駆動アクチュエータ４のシャッタ地板１への取り付けおよび羽根駆動アクチュエータ３のカバー板２への取付けは、弾性を有する非磁性金属部材で形成されたクリップ１４で、ボビン１１の張り出し部１１ｃ、１１ｄを挟み込むことにより行われる。
【００４１】
このように、羽根駆動アクチュエータの羽根室への取り付けも、熱溶解や接着によらず、クリップ１４のみで行えることから、取り付け作業の簡易化が図られる。電磁アクチュエータの取り外しも容易に行える。また、弾性のあるクリップ１４で羽根室を固定していることから、落下などによる衝撃に対する強い耐久性がある。さらに、シャッタ駆動フレキシブル基板１５の装置への装着も金属製のクリップ１４を貫通して突出しているコイル巻き線端子と、シャッタ駆動フレキシブル基板１５のコイル端子嵌合孔を合わせて半田付けを行うだけで済むので、作業が容易である。
【００４２】
続いて、図２、図１５〜図１７を参照しながら、実施の形態１にかかる羽根駆動装置の作動を説明する。図１５〜図１７は、実施の形態１にかかる羽根駆動装置の作動を説明するための図である。なお、図２は初期状態、図１５は図２の状態から絞り羽根５が挿入された状態、図１６は図１５の状態からシャッタ羽根が挿入された状態、図１７は図２の状態からシャッタ羽根を閉じた状態を示す図である。
【００４３】
図２に示すように、撮影をしていないとき（初期状態）には、絞り補助羽根６を被写体光路に挿入し、シャッタ羽根７，８，９はその開口部６ａを全開にしている。このとき、羽根駆動アクチュエータ３，４は非通電状態となっているが、周知のアクチュエータ構成によって、マグネットローラ３ｂに時計方向への回転力が付与されることになり、絞り羽根５、絞り補助羽根６がストッパ１ｈ，１ｇに当接させられる。これにより、絞り羽根５の開口部５ａは光路から退避することになる。また、マグネットローラ４ｂにも時計方向への回転力が付与されることにより、シャッタ羽根７，８，９がストッパ１ｇ，１ｈ，１ｈにそれぞれ当接させられる。
【００４４】
次に、撮影状態へ移行する（被写体光量を減じて撮影する）ときは、羽根駆動アクチュエータ３のマグネットローラ３ｂが反時計方向へ回転することにより、絞り羽根５は時計方向へ回転させられ、ストッパ２ｅに当接して止まる。同時に、絞り補助羽根６も反時計方向へ回転させられ、シャッタ羽根７に対して摺動し、ストッパ１ｆに当接して止まる。この状態が図１５で、このとき被写体光路は小絞り径である開口部５ａによって規制される。また、絞り補助羽根６が反時計方向へ回転することにより、絞り補助羽根６に形成された開口部６ａも反時計方向へ移動する。このようにすることにより、絞り羽根５の開口部５ａを絞り補助羽根６の開口部６ａに進入させたときに、絞り補助羽根６が絞り羽根５とシャッタ地板１の開口部１ａ（およびカバー板２の開口部２ａ）の縁との間に形成される隙間２０を覆って露出不良を防止している。
【００４５】
すなわち、絞り羽根５を露光開口部に挿入して撮影する際に、絞り補助羽根６が僅かに回転して絞り開口以外の領域であって露光開口部によって塞がれない領域を覆うようにしている。なお、この状態で羽根駆動アクチュエータ３への通電が断たれても、周知のアクチュエータの構成によって、マグネットローラ３ｂには反時計方向への回転力が付与され続け、絞り羽根５、絞り補助羽根６はストッパ２ｅ，１ｆに当接されたままの状態を保持する。
【００４６】
このようにして、小絞り状態が得られると、次に、撮影開始の信号が与えられ、所定の撮影時間が経過すると、羽根駆動アクチュエータ４に通電され、マグネットローラ４ｂが反時計方向に回転させられる。これにより、シャッタ羽根７とシャッタ羽根８，９とが相反する方向へ回転するが、このとき、シャッタ羽根７は絞り補助羽根６に対して摺動することになる。そして、開口部５ａを閉鎖した後、ストッパ２ｅ，１ｇに当接して止まる。したがって、シャッタ羽根７は、作動開始から停止するまで、シャッタ羽根８に対してと同様に、常に絞り補助羽根６との間に好適な摺動関係が維持されるので、図２７に示したような仕切り板１３を設けずとも、作動上、絞り羽根５と干渉することがない。この状態を示したのが図１６である（シャッタ閉鎖状態）。
【００４７】
この後、シャッタ閉鎖状態からシャッタ復帰動作のため、羽根駆動アクチュエータ３，４に、上記とは逆方向へ通電される。そのため、シャッタ羽根７，８，９と絞り羽根５、絞り補助羽根６は、いずれも上記とは反対方向へ回転させられるが、このときもシャッタ羽根７と絞り補助羽根６とは干渉することはない。そして、シャッタ羽根７がストッパ１ｇに、シャッタ羽根８，９がストッパ１ｈに当接し、絞り羽根５がストッパ１ｈに、絞り補助羽根６がストッパ１ｇにそれぞれ当接して止まると、その直後に、羽根駆動アクチュエータ３，４への通電が断たれて図２の初期状態に復帰する。
【００４８】
ところで、被写体光が明るく、上記のように開口部５ａ（小絞り径）を用いないで撮影する場合は、絞り補助羽根６の開口部６ａを用いて撮影することになる。よって、この場合は、図２の初期状態において、羽根駆動アクチュエータ３には通電することなく撮影が開始される。そして、所定の撮影時間が経過すると、羽根駆動アクチュエータ４に通電され、マグネットローラ４ｂが反時計方向へ回転させられる。そのため、図１６に基づき説明した場合と同様に、シャッタ羽根７とシャッタ羽根８，９は相反する方向へ回転させられ、図１７に示した状態で止められる。この閉鎖状態で撮影が完了すると、羽根駆動アクチュエータ４が逆転させられ、図２の状態に復帰する。
【００４９】
以上のように、実施の形態１によれば、絞り補助羽根６を、羽根室内に配置される絞り羽根５とシャッタ羽根７，８，９の収納領域を仕切る仕切板としての機能を持たせるとともに、露出開口径内に絞り羽根５を進入させたときに形成される絞り羽根５と開口部１ａや開口部２ａの縁との隙間を覆うように作動させるように構成したので、光軸方向の投影面積（地板の外径）を小さくすることができるとともに光軸方向の薄型化を実現できる。
【００５０】
また、仕切り板１３がない分、シャッタ地板１やカバー板２を薄くしなくても、被写体側の前群レンズ端Ｌａを絞り羽根５に近付けることが可能となり、また、像面側の後群レンズ端Ｌｂをシャッタ羽根９に近付けることが可能となり、光軸方向の薄型化が促進される（図４参照）。また、シャッタ羽根駆動部と絞り羽根駆動部とを、光軸と直交する方向において少なくともその一部が重なる位置に配置することで、光軸方向の投影面積（地板外径方向）を小さくすることができる。さらに、前記羽根室を固定するために弾性を有するクリップを用いているため、組み付けのための部品点数が削減でき、組み立て、分解が容易で、落下などの衝撃に強い耐久性を備えることができる。
【００５１】
なお、この実施の形態１では、図２７に示すような仕切り板１３を配置していないが、この発明は仕切り板１３の配置を妨げるものではない。すなわち、仕切り板１３を設けても、仕切り板１３に開口部を設ける必要がない分、仕切り板１３はごく薄く小さいもので済む。結果として、カバー板２の被写体側面とシャッタ地板１の像面側面との間の寸法を小さくすることが可能となり、光軸方向の薄型化を促進することができる。
【００５２】
（実施の形態２）
実施の形態１では、光軸方向の薄型化を促進するために仕切り板を配置しない構成の羽根駆動装置の例を示した。しかし、単に仕切り板をなくすと、シャッタ羽根と仕切り板に相当する絞り補助羽根は互いに面接触し、カメラの姿勢に応じて、絞り羽根、絞り補助羽根の荷重が直接シャッタ羽根に加わる場合がある。このため、カメラの姿勢差によってシャッタ羽根の走行速度のバラツキが生じやすくなり、露光ムラが生じるおそれがある。そこで、実施の形態２では、各羽根について他の羽根の作動を妨害することがないような処置を施した。このようにすることで、カメラ姿勢差による露光ムラを防止することができる。以下、実施の形態２にかかる羽根駆動装置を詳細に説明する。
【００５３】
図１８は、実施の形態２にかかる羽根駆動装置の羽根室を構成するシャッタ地板の内側面（被写体側面）を示す図である。図１９は、実施の形態２にかかる羽根駆動装置の羽根室の構成を示す被写体側から見た斜視図である。シャッタ地板１には、羽根室基底面Ａに対して高さが異なる、絞り補助羽根６の先端像側面６ｄの摺動面Ｂ、絞り羽根５の孔５ｂ周囲の像側面５ｄの摺動面Ｃ、シャッタ羽根８の先端像側面８ｃの摺動面Ｄ、シャッタ羽根９の像面側面９ｃの摺動面Ｅ、絞り補助羽根６の長孔６ｃ周囲の像側面６ｅの摺動面Ｆが設けられている。
【００５４】
摺動面Ｅは、羽根室基底面Ａに対してやや高く、シャッタ地板１の開口部１ａの周囲およびその周囲から右側上方へ延びた方向へ形成されている。摺動面Ｄは、摺動面Ｅよりやや高く、摺動面Ｅの下方から緩やかに右側上方へ形成されている。摺動面Ｄに対してシャッタ羽根８の先端像側面８ｃが摺動することにより、シャッタ羽根９の作動を妨げないようになっている。摺動面Ｂは、摺動面Ｄよりやや高く、摺動面Ｄの下方に形成されている。
【００５５】
摺動面Ｆは、摺動面Ｂと等位の高さで、羽根軸１ｉと長孔１ｅとの間に形成されている。摺動面Ｂおよび摺動面Ｆに対して絞り補助羽根６が摺動することにより、シャッタ羽根７の作動を妨げないようになっている。また、摺動面Ｃは、摺動面Ｆよりやや高く、羽根軸１ｉの左側に形成されている。摺動面Ｃに対して絞り羽根５の孔５ｂ周囲の像側面５ｄが摺動することにより、絞り羽根５が絞り補助羽根６の作動を妨げることがないようになっている。
【００５６】
図２０は、実施の形態２にかかる羽根駆動装置の羽根室を構成するカバー板の内側面（像側面）を示す図である。図２１は、実施の形態２にかかる羽根駆動装置の羽根室の構成を示す像側から見た斜視図である。カバー板２には、羽根室基底面Ｇに対して高さが異なる、絞り補助羽根６の先端被写体側面６ｆの摺動面Ｈ、シャッタ羽根７の長孔７ｂ周囲の被写体側面７ｃの摺動面Ｉ、シャッタ羽根８の孔８ａ周囲の被写体側面８ｄの摺動面Ｊ、シャッタ羽根９の孔９ａ周囲の被写体側面９ｄの摺動面Ｋ、シャッタ羽根７の先端被写体側面７ｄの摺動面Ｌ、シャッタ羽根７の被写体側面７ｅの摺動面Ｐが設けられている。
【００５７】
摺動面Ｈは、羽根室基底面Ｇよりもやや高く、摺動面Ｈに対して絞り補助羽根６の先端被写体側面６ｆが摺動することにより絞り羽根５の作動を妨げないような位置に形成されている。摺動面Ｉは、摺動面Ｈよりもやや高く、シャッタ羽根７の長孔７ｂ周囲の被写体側面７ｃが摺動面Ｉに対して摺動することにより、絞り補助羽根６やシャッタ羽根８の作動を妨げないような位置に形成されている。摺動面Ｌも摺動面Ｉと同位の高さに形成されており、シャッタ羽根７の先端被写体側面７ｄが摺動面Ｌに対して摺動することにより、絞り補助羽根６やシャッタ羽根８の作動を妨げないようになっている。
【００５８】
さらに、摺動面Ｐも摺動面Ｉや摺動面Ｌと同位の高さに形成されている。特に、この摺動面Ｐは、絞り補助羽根６の長孔６ｇを貫くように形成されている。そして、シャッタ羽根７の被写体側面７ｅが摺動面Ｐに対して摺動することにより、絞り補助羽根６やシャッタ羽根８の作動を妨げないようになっている。摺動面Ｊは、摺動面Ｉよりもやや高く、シャッタ羽根８の孔８ａ周囲の被写体側面８ｄが摺動面Ｊに対して摺動することにより、シャッタ羽根７やシャッタ羽根９の作動を妨げないような位置に形成されている。摺動面Ｋは、摺動面Ｊよりもやや高く、シャッタ羽根９の孔９ａ周囲の被写体側面９ｄが摺動面Ｋに対して摺動することにより、シャッタ羽根８の作動を妨げないような位置に形成されている。
【００５９】
実施の形態２にかかる羽根駆動装置において、上記以外の構成は実施の形態１の羽根駆動装置と同様である。以下、図２２〜図２５を参照しながら、この実施の形態２にかかる羽根駆動装置の作動を説明する。
【００６０】
図２２〜図２５は、実施の形態２にかかる羽根駆動装置の作動を説明するための図である。なお、図２２は初期状態、図２３は図２２の状態から絞り羽根５が挿入された状態、図２４は図２３の状態からシャッタ羽根が挿入された状態、図２５は図２２の状態からシャッタ羽根を閉じた状態を示す図である。
【００６１】
図２２に示すように、撮影をしていないとき（初期状態）には、絞り補助羽根６を被写体光路に挿入し、シャッタ羽根７，８，９はその開口部６ａを全開にしている。このとき、羽根駆動アクチュエータ３，４は非通電状態となっているが、周知のアクチュエータ構成によって、マグネットローラ３ｂに時計方向への回転力が付与されることになり、絞り羽根５、絞り補助羽根６がストッパ１ｈ，１ｇに当接させられる。これにより、絞り羽根５の開口部５ａは光路から退避することになる。また、マグネットローラ４ｂにも時計方向への回転力が付与されることにより、シャッタ羽根７，８，９がストッパ１ｇ，１ｈ，１ｈにそれぞれ当接させられる。
【００６２】
次に、撮影状態へ移行する（被写体光量を減じて撮影する）ときは、羽根駆動アクチュエータ３のマグネットローラ３ｂが反時計方向へ回転することにより、絞り羽根５は時計方向へ回転させられ、ストッパ２ｅに当接して止まる。同時に、絞り補助羽根６も反時計方向へ回転させられ、シャッタ羽根７に対して摺動し、ストッパ１ｆに当接して止まる。この状態が図２３で、このとき被写体光路は小口径の開口部５ａによって規制される。また、絞り補助羽根６が反時計方向へ回転することにより、絞り補助羽根６に形成された開口部６ａも反時計方向へ移動する。
【００６３】
このようにすることにより、絞り羽根５の開口部５ａを絞り補助羽根６の開口部６ａに進入させたときに、絞り補助羽根６によって絞り羽根５とシャッタ地板１の開口部１ａ（およびカバー板２の開口部２ａ）の縁との間に形成される隙間２０を覆って露出不良を防止している。すなわち、絞り羽根５を露光開口部に挿入して撮影する際に、絞り補助羽根６が僅かに回転して絞り開口以外の領域であって露光開口部によって塞がれない領域を覆うようにしている。なお、この状態で羽根駆動アクチュエータ３への通電が断たれても、周知のアクチュエータの構成によって、マグネットローラ３ｂには反時計方向への回転力が付与され続け、絞り羽根５、絞り補助羽根６はストッパ２ｅ，１ｆに当接されたままの状態を保持する。
【００６４】
このとき、絞り羽根５の被写体側面がカバー板２の羽根室基底面Ｇに対して摺動し、像側面が絞り補助羽根６に対して摺動する。また、絞り羽根５は、孔５ｂ周囲の像側面５ｄが羽根軸１ｉの近傍の摺動面Ｃに対して摺動することによって、像側へのスラスト位置範囲を規制される。また、絞り補助羽根６は、先端被写体側面６ｆが摺動面Ｈに対して摺動し、先端像側面６ｄが摺動面Ｂに対して摺動し、長孔６ｃ周囲の像側面６ｅが摺動面Ｆに対して摺動することによって、光軸方向のスラスト位置範囲が規制される。
【００６５】
このようにして、小絞り状態が得られると、次に、撮影開始の信号が与えられ、所定の撮影時間が経過すると、羽根駆動アクチュエータ４に通電され、マグネットローラ４ｂが反時計方向に回転させられる。これにより、シャッタ羽根７とシャッタ羽根８，９とが相反する方向へ回転し、開口部５ａを閉鎖した後、ストッパ２ｅ，１ｇに当接して止まる。この状態を示したのが図２４である（シャッタ閉鎖状態）。
【００６６】
このとき、シャッタ羽根７は、絞り補助羽根６に対して摺動することになる。同時に、被写体側面７ｅが絞り補助羽根６の長孔６ｇを貫くように形成された摺動面Ｐに対して摺動し、先端被写体側面７ｄが摺動面Ｌに対して摺動し、長孔７ｂ周囲の被写体側面７ｃが摺動面Ｉに沿って摺動することにより、シャッタ羽根７の被写体側へのスラスト位置範囲が規制される。したがって、シャッタ羽根７は、作動開始から停止するまで、シャッタ羽根８に対してと同様に、常に絞り補助羽根６との間に好適な摺動関係が維持されるので、図２７に示したような仕切り板１３を設けずとも、作動上、絞り補助羽根６と干渉することはない。
【００６７】
また、シャッタ羽根８は、その被写体側面をシャッタ羽根７に対して摺動することになるが、羽根軸１ｋ周辺部の孔８ａ周囲部８ｄが摺動面Ｊに対して摺動することにより、被写体側へのスラスト位置範囲が規制される。さらに、シャッタ羽根８は、その像面側の面をシャッタ羽根９に対して摺動することになるが、先端像側面８ｃがシャッタ地板１に形成された摺動面Ｄに対しても摺動することにより、先端像側面８ｃのスラスト位置範囲が規制される。
【００６８】
シャッタ羽根９は、像側面９ｃがシャッタ地板１に形成された摺動面Ｅに対して摺動することになるが、像側面９ｃと摺動面Ｅとの接触面積は小さいため、シャッタ羽根９作動時の摺動抵抗は低く問題はない。また、シャッタ羽根９の被写体側面がシャッタ羽根８に対して摺動することになるが、羽根軸１ｉの周辺部に位置する孔９ａ周囲の被写体側面９ｄがカバー板２に形成された摺動面Ｋに対して摺動することにより、シャッタ羽根９の被写体側へのスラスト位置範囲が規制される。
【００６９】
この後、シャッタ閉鎖状態からシャッタ復帰動作のため、羽根駆動アクチュエータ３，４に、上記とは逆方向へ通電される。そのため、シャッタ羽根７，８，９と絞り羽根５、絞り補助羽根６は、いずれも上記とは反対方向へ回転させられるが、このときもシャッタ羽根７と絞り補助羽根６とは干渉することはない。そして、シャッタ羽根７がストッパ１ｇに、シャッタ羽根８，９がストッパ１ｈに当接し、絞り羽根５がストッパ１ｈに、絞り補助羽根６がストッパ１ｇにそれぞれ当接して止まると、その直後に、羽根駆動アクチュエータ３，４への通電が断たれて図２２の初期状態に復帰する。
【００７０】
ところで、被写体光が明るく、上記のように開口部５ａ（小絞り径）を用いないで撮影する場合は、絞り補助羽根６の開口部６ａを用いて撮影することになる。よって、この場合は、図２２の初期状態において、羽根駆動アクチュエータ３には通電することなく撮影が開始される。そして、所定の撮影時間が経過すると、羽根駆動アクチュエータ４に通電され、マグネットローラ４ｂが反時計方向へ回転させられる。そのため、図２４に基づき説明した場合と同様に、シャッタ羽根７とシャッタ羽根８，９は相反する方向へ回転させられ、図２５に示した状態で止められる。この閉鎖状態で撮影が完了すると、羽根駆動アクチュエータ４が逆転させられ、図２２の状態に復帰する。このときの一連の各羽根の作動は、上記と同様に好適な状態で行われる。
【００７１】
以上説明したように、実施の形態２にかかる羽根駆動装置では、羽根室の内側に羽根室の基底面に対して突起した各羽根専用の摺動面が複数形成され、それら摺動面に当接しながら前記各羽根が摺動することで、羽根同士の過度な密着を防止する。このため、カメラの姿勢差によって、各羽根が積み重なるような状態でも、特定の羽根の重量が直接他の羽根に加わって他の羽根の作動が妨げられるようなことはない。したがって、カメラの姿勢差によるシャッタ羽根の作動時間のバラつきをなくすことができ、露出ムラを防止することができる。また、高湿度の環境下で、結露による羽根同士の過度な密着、作動停止や作動時間のバラつきといった不具合を防止することもできる。
【産業上の利用可能性】
【００７２】
以上のように、この発明にかかる羽根駆動装置は、デジタルカメラに有用であり、特に、小型携帯機器に内蔵されるデジタルカメラに適している。
【符号の説明】
【００７３】
１  シャッタ地板
２  カバー板
３，４  羽根駆動アクチュエータ
５  絞り羽根
６  絞り補助羽根
７，８，９  シャッタ羽根
１０  コイル
１１  ボビン
１２  ヨーク
１３  仕切り板
１４  クリップ
【図１】
2011197082.tif 000003
【図２】
2011197082.tif 000004
【図３】
2011197082.tif 000005
【図４】
2011197082.tif 000006
【図５】
2011197082.tif 000007
【図６】
2011197082.tif 000008
【図７】
2011197082.tif 000009
【図８】
2011197082.tif 000010
【図９】
2011197082.tif 000011
【図１０】
2011197082.tif 000012
【図１１】
2011197082.tif 000013
【図１２】
2011197082.tif 000014
【図１３】
2011197082.tif 000015
【図１４】
2011197082.tif 000016
【図１５】
2011197082.tif 000017
【図１６】
2011197082.tif 000018
【図１７】
2011197082.tif 000019
【図１８】
2011197082.tif 000020
【図１９】
2011197082.tif 000021
【図２０】
2011197082.tif 000022
【図２１】
2011197082.tif 000023
【図２２】
2011197082.tif 000024
【図２３】
2011197082.tif 000025
【図２４】
2011197082.tif 000026
【図２５】
2011197082.tif 000027
【図２６】
2011197082.tif 000028
【図２７】
2011197082.tif 000029